(57)【特許請求の範囲】
【請求項１】
特定の機能の実行が許可される回数を記憶する第１の記憶部と、近距離無線通信によって、携帯情報端末から情報を読み書きされることが可能な第２の記憶部とをそれぞれ有する第１の電子機器及び第２の電子機器と、
前記近距離無線通信によって少なくとも前記第１の電子機器に情報を読み書きすることが可能であり、前記近距離無線通信によって少なくとも前記第２の電子機器から情報を読み書きされることが可能な第３の記憶部を有する携帯情報端末と
を具備し、
前記第１の電子機器は、
前記第１の記憶部に記憶された回数の少なくとも一部を前記第２の記憶部に書き込み、
前記第１の記憶部に記憶された回数から前記第２の記憶部に書き込んだ回数を減算した値で、前記第１の記憶部に記憶された回数を更新し、
前記携帯情報端末は、前記近距離無線通信によって、
前記第１の電子機器の前記第２の記憶部に記憶された回数の少なくとも一部を読み出し、
前記第１の電子機器の前記第２の記憶部に記憶された回数から前記読み出した回数を減算した値で、前記第１の電子機器の前記第２の記憶部に記憶された回数を更新し、
前記読み出した回数を前記第３の記憶部に書き込み、
前記第２の電子機器は、前記近距離無線通信によって、
前記携帯情報端末の前記第３の記憶部に記憶された回数の少なくとも一部を読み出し、
前記携帯情報端末の前記第３の記憶部に記憶された回数から前記読み出した回数を減算した値で、前記携帯情報端末の前記第３の記憶部に記憶された回数を更新し、
前記読み出した回数を前記第２の電子機器の前記第１の記憶部に書き込む
情報処理システム。
【請求項２】
請求項１に記載の情報処理システムであって、
前記第１の電子機器は、さらに、前記近距離無線通信によって、
前記携帯情報端末に記憶された回数の少なくとも一部を読み出し、
前記携帯情報端末に記憶された回数から前記読み出した回数を減算した値で、前記携帯情報端末に記憶された回数を更新する
情報処理システム。
【請求項３】
請求項１又は請求項２に記載の情報処理システムであって、
前記第１の電子機器は、
前記第１の記憶部に記憶された回数の少なくとも一部を前記第２の記憶部に書き込み、
その後、
前記携帯情報端末は、前記近距離無線通信によって、
前記第１の電子機器の前記第２の記憶部に記憶された回数の少なくとも一部を読み出し、
前記第１の電子機器の前記第２の記憶部に記憶された回数から前記読み出した回数を減算した値で、前記第１の電子機器の前記第２の記憶部に記憶された回数を更新し、
前記読み出した回数を前記第３の記憶部に書き込み、
その後、
前記第１の電子機器は、
前記第１の記憶部に記憶された回数から前記第２の記憶部に書き込んだ回数を減算した値で、前記第１の記憶部に記憶された回数を更新する処理として、
前記第２の記憶部に書き込んだ回数から前記第２の記憶部に更新された回数を減算した値を、前記第１の記憶部に記憶された回数から減算した値で、前記第１の記憶部に記憶された回数を更新する
情報処理システム。
【発明の詳細な説明】
【技術分野】
【０００１】
本発明は、回数制限があるアプリケーションの試用（お試し利用）をすることが可能な電子機器、プログラム及び情報処理システムに関する。
【背景技術】
【０００２】
ダウンロードしたアプリケーションの試用について、回数等により制限する技術が知られている（例えば、特許文献１の段落００７９等参照。）。
【先行技術文献】
【特許文献】
【０００３】
【特許文献１】特開２０１４−１６４３９２号公報
【発明の概要】
【発明が解決しようとする課題】
【０００４】
複数の電子機器がある場合、それぞれの電子機器に対してアプリケーションの試用回数が制限される。このため、ある電子機器の試用回数が無くなると、その電子機器は、それ以降はアプリケーションを試用することができない。また、ある電子機器に正規の（試用ではない）アプリケーションをインストールした場合、その電子機器では、試用回数の残りが無駄になる。
【０００５】
以上のような事情に鑑み、本発明の目的は、回数制限があるアプリケーションの試用について、複数の電子機器それぞれでの利便性を向上させることにある。
【課題を解決するための手段】
【０００６】
上記目的を達成するため、本発明の一形態に係る電子機器は、
特定の機能の実行が許可される回数を記憶する第１の記憶部と、
近距離無線通信によって、外部装置から情報を読み書きされることが可能な第２の記憶部と、
前記第１の記憶部に記憶された回数の少なくとも一部を前記第２の記憶部に書き込み、
前記第１の記憶部に記憶された回数から前記第２の記憶部に書き込んだ回数を減算した値で、前記第１の記憶部に記憶された回数を更新する
回数管理部と
を具備する。
【０００７】
本形態によれば、電子機器は、第１の記憶部に記憶された、特定の機能の実行が許可される回数を、外部装置から情報を読み書きされることが可能な第２の記憶部に移す。これにより、別の電子機器が、外部装置を媒体として、第２の記憶部に移された回数を使って、特定の機能の実行を実行することができる。
【０００８】
前記回数管理部は、さらに、前記近距離無線通信によって、
外部装置に記憶された回数の少なくとも一部を読み出し、
前記外部装置に記憶された回数から前記読み出した回数を減算した値で、前記外部装置に記憶された回数を更新する。
【０００９】
本形態によれば、電子機器は、外部装置を媒体として、別の電子機器の特定の機能の実行が許可される回数を使って、特定の機能の実行を実行することができる。
【００１０】
前記回数管理部は、
前記外部装置が前記第２の記憶部に記憶された回数を更新した後、
前記第２の記憶部に書き込んだ回数から前記第２の記憶部に更新された回数を減算した値を、前記第１の記憶部に記憶された回数から減算した値で、前記第１の記憶部に記憶された回数を更新することにより、
前記第１の記憶部に記憶された回数から前記第２の記憶部に書き込んだ回数を減算した値で、前記第１の記憶部に記憶された回数を更新する。
【００１１】
本形態によれば、外部装置が電子機器の第２の記憶部に書き込まれた回数を更新する時点において、電子機器がスリープ又はシャットダウン状態であっても、即座に電子機器を復帰させる必要が無く、復帰したタイミングで第１の記憶部に記憶された回数を更新すればよいので、消費電力が抑えられる。
【００１２】
上記目的を達成するため、本発明の一形態に係るプログラムは、
特定の機能の実行が許可される回数を記憶する第１の記憶部と、
近距離無線通信によって、外部装置から情報を読み書きされることが可能な第２の記憶部と、
前記第１の記憶部に記憶された回数の少なくとも一部を前記第２の記憶部に書き込み、
前記第１の記憶部に記憶された回数から前記第２の記憶部に書き込んだ回数を減算した値で、前記第１の記憶部に記憶された回数を更新する
回数管理部
として電子機器を機能させる。
【００１３】
上記目的を達成するため、本発明の一形態に係る情報処理システムは、
特定の機能の実行が許可される回数を記憶する第１の記憶部と、近距離無線通信によって、外部装置から情報を読み書きされることが可能な第２の記憶部とをそれぞれ有する第１の電子機器及び第２の電子機器と、
前記近距離無線通信によって少なくとも前記第１の電子機器に情報を読み書きすることが可能であり、前記近距離無線通信によって少なくとも前記第２の電子機器から情報を読み書きされることが可能な第３の記憶部を有する携帯情報端末と
を具備し、
前記第１の電子機器は、
前記第１の記憶部に記憶された回数の少なくとも一部を前記第２の記憶部に書き込み、
前記第１の記憶部に記憶された回数から前記第２の記憶部に書き込んだ回数を減算した値で、前記第１の記憶部に記憶された回数を更新し、
前記携帯情報端末は、前記近距離無線通信によって、
前記第１の電子機器の前記第２の記憶部に記憶された回数の少なくとも一部を読み出し、
前記第１の電子機器の前記第２の記憶部に記憶された回数から前記読み出した回数を減算した値で、前記第１の電子機器の前記第２の記憶部に記憶された回数を更新し、
前記読み出した回数を前記第３の記憶部に書き込み、
前記第２の電子機器は、前記近距離無線通信によって、
前記携帯情報端末の前記第３の記憶部に記憶された回数の少なくとも一部を読み出し、
前記携帯情報端末の前記第３の記憶部に記憶された回数から前記読み出した回数を減算した値で、前記携帯情報端末の前記第３の記憶部に記憶された回数を更新し、
前記読み出した回数を前記第２の電子機器の前記第１の記憶部に書き込む。
【００１４】
本形態によれば、第１の電子機器は、第１の記憶部に記憶された、特定の機能の実行が許可される回数を、携帯情報端末から情報を読み書きされることが可能な第２の記憶部に移す。これにより、第２の電子機器が、携帯情報端末を媒体として、第１の電子機器の第２の記憶部に移された回数を使って、特定の機能の実行を実行することができる。
【発明の効果】
【００１５】
本発明によれば、回数制限があるアプリケーションの試用について、複数の電子機器それぞれでの利便性が向上する。
【図面の簡単な説明】
【００１６】
【図１】本発明の第１の実施形態に係る情報処理システムを模式的に示す図である。
【図２】画像形成装置のハードウェア構成を示すブロック図である。
【図３】携帯情報端末のハードウェア構成を示すブロック図である。
【図４】画像形成装置及び携帯情報端末の機能的構成を示すブロック図である。
【図５】画像形成装置及び携帯情報端末の動作を示すシークエンス図である。
【図６】一方の画像形成装置の動作を示すフローチャートである。
【図７】携帯情報端末の動作を示すフローチャートである。
【図８】他方の画像形成装置の動作を示すフローチャートである。
【図９】第２の実施形態に係る画像形成装置及び携帯情報端末の動作を示すシークエンス図である。
【発明を実施するための形態】
【００１７】
以下、図面を参照しながら、本発明の実施形態を説明する。
【００１８】
（Ｉ．第１の実施形態）
（１．情報処理システムの概要）
図１は、本発明の第１の実施形態に係る情報処理システムを模式的に示す図である。
情報処理システム１は、２台の電子機器１０Ａ、１０Ｂと、携帯情報端末２０とを有する。
【００１９】
電子機器１０Ａ、１０Ｂは、典型的には、ＭＦＰ（Multifunctional Peripheral）等の画像形成装置であり、以下、ＭＦＰ１０Ａ、１０Ｂと称する。ＭＦＰ１０Ａ、１０Ｂを区別する必要が無い時は、単に、ＭＦＰ１０と称する（以下同様）。携帯情報端末２０は、典型的には、スマートフォン等である。ＭＦＰ１０及び携帯情報端末２０は、それぞれ、ＮＦＣデバイス（ＮＦＣチップとも呼ばれる）を内蔵し、相互に近距離無線通信可能である。ＭＦＰ１０及び携帯情報端末２０は、それぞれ、近距離無線通信の規格に従って、少なくとも、リーダー／ライターモード及びカードエミュレーションモードを、排他的に切り替えて実行可能である。より具体的には、ＭＦＰ１０及び携帯情報端末２０は、それぞれ、ＮＦＣデバイスをリーダー／ライターモードで動作させるための情報処理プログラムを実行することにより、リーダー／ライターモードを実行し、また、ＮＦＣデバイスをカードエミュレーションモードで動作させるための情報処理プログラムを実行することにより、カードエミュレーションモードを実行する。
【００２０】
ＭＦＰ１０がリーダー／ライターモードを実行する際、動作の主体は、ＭＦＰ１０である。すなわち、ＭＦＰ１０（リーダー／ライターモード）は、携帯情報端末２０（カードエミュレーションモード）のＮＦＣデバイスに対して、情報を読み書きする。
【００２１】
一方、ＭＦＰ１０がカードエミュレーションモードを実行する際、動作の主体は、携帯情報端末２０である。すなわち、携帯情報端末２０（リーダー／ライターモード）は、ＭＦＰ１０（カードエミュレーションモード）のＮＦＣデバイスに対して、情報を読み書きする。
【００２２】
（２．画像形成装置のハードウェア構成）
図２は、画像形成装置のハードウェア構成を示すブロック図である。
ＭＦＰ１０は、制御部１１を備える。制御部１１は、ＣＰＵ、ＲＡＭ、ＲＯＭ及び専用のハードウェア回路等から構成され、ＭＦＰ１０の全体的な動作制御を司る。
【００２３】
制御部１１は、画像読取部１２、画像処理部１４、画像メモリー１５、出力部１６、操作部１７、通信インターフェース１９、記憶部１８、ＮＦＣデバイス１３等と接続されている。制御部１１は、接続されている上記各部の動作制御や、各部との間での信号又はデータの送受信を行う。
【００２４】
制御部１１は、ユーザーから、操作部１７またはネットワーク接続されたＰＣ（図示せず）等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００２５】
画像読取部１２は、原稿から画像を読み取るスキャナーである。
【００２６】
画像処理部１４は、画像読取部１２で読み取られた画像の画像データを必要に応じて画像処理する画像処理プロセッサーである。例えば、画像処理部１４は、画像読取部１２により読み取られた画像が画像形成された後の品質を向上させるために、シェーディング補正等の画像処理を行う。
【００２７】
画像メモリー１５は、画像読取部１２による読み取りで得られた原稿画像のデータを一時的に記憶したり、通信インターフェース１９を介して受信された印刷対象となるデータを一時的に記憶したりする領域を有する。
【００２８】
出力部１６は、画像読取部１２で読み取られた画像データ等の画像形成を行って出力する。
【００２９】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１７ａを備えている。
【００３０】
通信インターフェース１９はインターネット等のネットワークに接続するためのインターフェースである。
【００３１】
記憶部１８は、画像読取部１２によって読み取られた原稿画像等を記憶する領域を有する、ＨＤＤなどの大容量の記憶装置である。
【００３２】
ＮＦＣデバイス１３は、近距離無線通信の規格に従って、少なくとも、リーダー／ライターモード及びカードエミュレーションモードを、排他的に切り替えて実行可能である。ＮＦＣデバイス１３は、ＮＦＣ制御部、アンテナ及び不揮発性の記憶領域（第２の記憶部）を有する。ＮＦＣ制御部は、近距離無線通信を行うための制御を行う。アンテナは、近距離無線通信を行うためのアンテナであり、携帯情報端末２０との間で、近距離無線通信で発生する電波を送受信する。不揮発性の記憶領域は、携帯情報端末２０（リーダー／ライターモード）が読み取るための情報を記憶する。
【００３３】
（３．携帯情報端末のハードウェア構成）
図３は、携帯情報端末のハードウェア構成を示すブロック図である。
携帯情報端末２０は、典型的にはスマートフォンなどの汎用の携帯情報端末である。携帯情報端末２０は、少なくとも、ＣＰＵ、ＲＡＭ、ＲＯＭ及び専用のハードウェア回路等から構成される制御部２１と、操作入力部及び表示部としてのタッチパネル２２と、インターネットと接続するための通信インターフェース２３と、ＮＦＣデバイス２４とを有する。
【００３４】
ＮＦＣデバイス２４は、少なくとも、ＮＦＣ制御部、ＮＦＣ記憶部（第３の記憶部）及びアンテナを有する。ＮＦＣデバイス２４は、近距離無線通信の規格に従って、少なくとも、リーダー／ライターモード及びカードエミュレーションモードを、排他的に切り替えて実行可能である。
【００３５】
（４．画像形成装置及び携帯情報端末の機能的構成）
図４は、画像形成装置（ＭＦＰ１０Ａ、１０Ｂ）及び携帯情報端末の機能的構成を示すブロック図である。
【００３６】
ＭＦＰ１０Ａ、１０Ｂは、それぞれ、情報処理プログラムを実行することにより、第１の記憶部１０１Ａ、１０１Ｂと、ＭＦＰ回数管理部１０２Ａ、１０２Ｂと、第２の記憶部１０３Ａ、１０３Ｂとして機能する。
【００３７】
第１の記憶部１０１は、ＭＦＰ１０本体に設けられた不揮発性の記憶領域である。第１の記憶部１０１は、アプリケーションの試用（お試し利用）回数（残り回数）を記憶する。
【００３８】
ＭＦＰ回数管理部１０２は、ＭＦＰ１０本体の制御部１１及びＮＦＣデバイス１３のＮＦＣ制御部を有し、特定のアプリケーションのＭＦＰ１０による試用回数（特定の機能の実行が許可される回数）を管理する。
【００３９】
第２の記憶部１０３は、ＮＦＣデバイス１３に設けられた不揮発性の記憶領域である。第２の記憶部１０３は、近距離無線通信によって、携帯情報端末２０から情報を読み書きされることが可能である。
【００４０】
携帯情報端末２０は、情報処理プログラムを実行することにより、第３の記憶部２０１と、端末回数管理部２０２として機能する。
【００４１】
第３の記憶部２０１は、ＮＦＣデバイス２４に設けられた不揮発性の記憶領域である。第３の記憶部２０１は、近距離無線通信によって、ＭＦＰ１０から情報を読み書きされることが可能である。
【００４２】
端末回数管理部２０２は、携帯情報端末２０本体の制御部２１及びＮＦＣデバイス２４のＮＦＣ制御部を有し、特定のアプリケーションのＭＦＰ１０による試用回数（特定の機能の実行が許可される回数）を管理する。
【００４３】
（５．画像形成装置及び携帯情報端末の動作）
図５は、画像形成装置（ＭＦＰ１０Ａ、１０Ｂ）及び携帯情報端末の動作を示すシークエンス図である。図６は、一方の画像形成装置（ＭＦＰ１０Ａ）の動作を示すフローチャートである。
【００４４】
前提として、ＭＦＰ１０Ａは、カードエミュレーションモードで動作するよう予め設定されている。ＭＦＰ１０Ａ、１０Ｂは、それぞれ、同じアプリケーションをインストール済みである。ＭＦＰ１０Ａ、１０Ｂごとに、そのアプリケーションの試用回数（特定の機能の実行が許可される回数）が設定されている。例えば、ＭＦＰ１０Ａの試用回数（残り回数）は３回、ＭＦＰ１０Ｂの試用回数（残り回数）は０回である。ＭＦＰ１０Ａ、１０Ｂの試用回数（残り回数）は、それぞれ、第１の記憶部１０１Ａ、１０１Ｂに記憶される。
【００４５】
ＭＦＰ１０Ａ（第１の電子機器）のＭＦＰ回数管理部１０２Ａは、第１の記憶部１０１Ａに記憶された回数（例えば３回）を読み出し、ユーザーの指示に応じて、少なくとも一部の回数（例えば１回）を、第２の記憶部１０３Ａに書き込む（ステップＳ１０１）。書き込みタイミングは、アプリケーションの試用を開始する前であればよく、例えば、アプリケーションをインストールしたとき、アプリケーションの試用を開始するとき等であればよい。
【００４６】
ＭＦＰ回数管理部１０２Ａは、第１の記憶部１０１Ａに記憶された回数（３回）から第２の記憶部１０３Ａに書き込んだ回数（１回）を減算した値（３−１＝２回）を第１の記憶部１０１Ａに書き込むことにより、第１の記憶部１０１Ａに記憶された回数を更新する（ステップＳ１０２）。
【００４７】
図７は、携帯情報端末の動作を示すフローチャートである。
ユーザーは、保有する携帯情報端末２０のＮＦＣデバイス２４を、ＭＦＰ１０ＡのＮＦＣデバイス１３にかざす。携帯情報端末２０は、リーダー／ライターモードで動作するよう予め設定されている。
【００４８】
携帯情報端末２０の端末回数管理部２０２は、近距離無線通信によって、ＭＦＰ１０Ａの第２の記憶部１０３Ａに書き込まれた回数（１回）の少なくとも一部（１回）を読み出す。端末回数管理部２０２は、ＭＦＰ１０Ａの第２の記憶部１０３Ａに記憶された回数（１回）から読み出した回数（１回）を減算した値（１−１＝０回）をＭＦＰ１０Ａの第２の記憶部１０３Ａに書き込むことにより、ＭＦＰ１０Ａの第２の記憶部１０３Ａに記憶された回数を更新する（ステップＳ２０１）。
【００４９】
携帯情報端末２０の端末回数管理部２０２は、ＭＦＰ１０Ａの第２の記憶部１０３Ａから読み出した回数（１回）を、第３の記憶部２０１に書き込む（ステップＳ２０２）。
【００５０】
携帯情報端末２０は、ユーザーによるタッチパネル２２への操作を受けて、リーダー／ライターモードから、カードエミュレーションモードに切り替える（ステップＳ２０３）。
【００５１】
図８は、他方の画像形成装置（ＭＦＰ１０Ｂ）の動作を示すフローチャートである。
ユーザーは、保有する携帯情報端末２０のＮＦＣデバイス２４を、ＭＦＰ１０Ｂ（第２の電子機器）のＮＦＣデバイス１３にかざす。ＭＦＰ１０Ｂは、リーダー／ライターモードで動作するよう予め設定されている。
【００５２】
ＭＦＰ１０ＢのＭＦＰ回数管理部１０２Ｂは、近距離無線通信によって、携帯情報端末２０の第３の記憶部２０１に書き込まれた回数（１回）の少なくとも一部（１回）を読み出す。ＭＦＰ回数管理部１０２Ｂは、携帯情報端末２０の第３の記憶部２０１に記憶された回数（１回）から読み出した回数（１回）を減算した値（１−１＝０回）を携帯情報端末２０の第３の記憶部２０１に書き込むことにより、携帯情報端末２０の第３の記憶部２０１に記憶された回数を更新する（ステップＳ３０１）。
【００５３】
ＭＦＰ１０ＢのＭＦＰ回数管理部１０２Ｂは、携帯情報端末２０のＮＦＣデバイス２４に設定された第３の記憶部２０１から読み出した回数（１回）を、ＭＦＰ１０Ｂの第１の記憶部１０１Ｂに書き込む（ステップＳ３０２）。
【００５４】
これにより、ＭＦＰ１０Ｂの第１の記憶部１０１Ｂに記憶された試用回数（残り回数）に拘わらず、ＭＦＰ１０Ｂは、ＭＦＰ１０Ａに設定された試用回数（残り回数）を使って、アプリケーションを実行することができる。
【００５５】
（ＩＩ．第２の実施形態）
第１の実施形態では、ＭＦＰ１０Ａは、第２の記憶部１０３に回数を書き込み（ステップＳ１０１）、第１の記憶部１０１Ａに記憶された回数を更新する（減らす）（ステップＳ１０２）。その後、携帯情報端末２０は、ＭＦＰ１０Ａの第２の記憶部１０３に書き込まれた回数を更新する（減らす）（ステップＳ２０１）。すなわち、ステップＳ１０１、Ｓ１０２の後にステップＳ２０１を行う。
【００５６】
これに対して、第２の実施形態では、上記ステップＳ１０２とステップＳ２０１の順序を逆にする。第２の実施形態は、特に、携帯情報端末２０がＭＦＰ１０Ａの第２の記憶部１０３Ａに書き込まれた回数を更新する（減らす）（ステップＳ２０１）時点において、ＭＦＰ１０Ａがスリープ又はシャットダウン状態である場合に有用である。
【００５７】
図９は、第２の実施形態に係る画像形成装置（ＭＦＰ１０Ａ、１０Ｂ）及び携帯情報端末の動作を示すシークエンス図である。
【００５８】
ＭＦＰ１０ＡのＭＦＰ回数管理部１０２Ａは、第１の記憶部１０１Ａに記憶された回数（例えば３回）を読み出し、ユーザーの指示に応じて、少なくとも一部の回数（例えば１回）を、第２の記憶部１０３Ａに書き込む（ステップＳ１０１Ａ）。
【００５９】
ユーザーは、保有する携帯情報端末２０のＮＦＣデバイス２４を、ＭＦＰ１０ＡのＮＦＣデバイス１３にかざす。携帯情報端末２０は、リーダー／ライターモードで動作するよう予め設定されている。
【００６０】
携帯情報端末２０の端末回数管理部２０２は、近距離無線通信によって、ＭＦＰ１０Ａの第２の記憶部１０３Ａに書き込まれた回数（１回）の少なくとも一部（１回）を読み出す。端末回数管理部２０２は、ＭＦＰ１０Ａの第２の記憶部１０３Ａに記憶された回数（１回）から読み出した回数（１回）を減算した値（１−１＝０回）をＭＦＰ１０Ａの第２の記憶部１０３Ａに書き込むことにより、ＭＦＰ１０Ａの第２の記憶部１０３Ａに記憶された回数を更新する（ステップＳ２０１Ａ）。
【００６１】
携帯情報端末２０の端末回数管理部２０２は、ＭＦＰ１０Ａの第２の記憶部１０３Ａから読み出した回数（１回）を、第３の記憶部２０１に書き込む（ステップＳ２０２Ａ）。
【００６２】
一方、ＭＦＰ１０ＡのＭＦＰ回数管理部１０２Ａは、第２の記憶部１０３Ａに書き込んだ（ステップＳ１０１Ａ）回数（１回）から第２の記憶部１０３Ａに更新（ステップＳ２０１Ａ）された回数（０回）を減算した値（１−０＝１回）を、第１の記憶部１０１Ａに記憶された回数（３回）から減算した値（３−１＝２回）で、第１の記憶部１０１Ａに記憶された回数を更新する（ステップＳ１０２Ａ）。第１の記憶部１０１Ａに記憶された回数を更新するタイミングは、例えば、ＭＦＰ１０Ａがスリープ又はシャットダウン状態から復帰したタイミングとすればよい。
【００６３】
これにより、携帯情報端末２０がＭＦＰ１０Ａの第２の記憶部１０３Ａに書き込まれた回数を更新する（減らす）（ステップＳ２０１Ａ）時点において、ＭＦＰ１０Ａがスリープ又はシャットダウン状態であっても、即座にＭＦＰ１０Ａを復帰させる必要が無く、復帰したタイミングで第１の記憶部１０１Ａに記憶された回数を更新（ステップＳ１０２Ａ）すればよいので、消費電力が抑えられる。
【００６４】
ステップＳ１０２Ａの動作により、結果的には、第１の実施形態（第１の記憶部１０１Ａに記憶された回数（３回）から第２の記憶部１０３Ａに書き込んだ回数（１回）を減算した値（３−１＝２回）を第１の記憶部１０１Ａに書き込むことにより、第１の記憶部１０１Ａに記憶された回数を更新する）と同じこととなる。
【００６５】
ステップＳ２０３以下は、第１の実施形態と同様であるため説明を省略する。
【００６６】
（ＩＩＩ．まとめ）
各実施形態によれば、ＭＦＰ１０Ａの試用回数を、携帯情報端末２０を媒体としてＭＦＰ１０Ｂに移す。これにより、ＭＦＰ１０Ｂの第１の記憶部１０１Ｂに記憶された試用回数（残り回数）に拘わらず、ＭＦＰ１０Ｂは、ＭＦＰ１０Ａに設定された試用回数（残り回数）を使って、アプリケーションを実行することができる。
【００６７】
各実施形態は、以下のような典型例において有用である。ＭＦＰ１０Ｂの試用回数（残り回数）が０回になったが、ＭＦＰ１０Ａの試用回数はまだ残っている場合、ＭＦＰ１０Ｂは、ＭＦＰ１０Ａに設定された試用回数（残り回数）を使って、アプリケーションを実行することができる。あるいは、正規なアプリケーションをＭＦＰ１０Ａにインストールしたが試用回数はまだ残っており、ＭＦＰ１０Ｂには正規なアプリケーションをインストールしていない場合、ＭＦＰ１０Ｂは、ＭＦＰ１０Ａに設定された試用回数（残り回数）を使って、アプリケーションを実行することができる。
【００６８】
各実施形態によれば、ＭＦＰ１０Ｂにアプリケーションをインストールしさえすれば、携帯情報端末２０を媒体として、ＭＦＰ１０Ａに設定された試用回数（残り回数）を使って、ＭＦＰ１０Ｂはアプリケーションを実行することができる。このため、例えば試用にあたり個人情報等のセキュリティに係わる情報を入力する必要があるアプリケーションであっても、ＭＦＰ１０Ｂではそのような情報を入力せずにアプリケーションを試用することができるので、セキュリティ性が向上する。
【００６９】
各実施形態によれば、ＭＦＰ１０Ａの試用回数を、携帯情報端末２０を媒体としてＭＦＰ１０Ｂに移す。すなわち、ＭＦＰ１０Ａ、１０Ｂの試用回数を一括的に管理するサーバー装置等を設ける必要が無く、設備の簡素化が図れる。
【符号の説明】
【００７０】
１…情報処理システム
１０Ａ、１０Ｂ…ＭＦＰ
２０…携帯情報端末
１０１Ａ、１０１Ｂ…第１の記憶部
１０２Ａ、１０２Ｂ…ＭＦＰ回数管理部
１０２Ａ、１０２Ｂ…第２の記憶部１０３Ａ、１０３Ｂ
２０１…第３の記憶部
２０２…端末回数管理部
【図１】
0006406233.tif 000002
【図２】
0006406233.tif 000003
【図３】
0006406233.tif 000004
【図４】
0006406233.tif 000005
【図５】
0006406233.tif 000006
【図６】
0006406233.tif 000007
【図７】
0006406233.tif 000008
【図８】
0006406233.tif 000009
【図９】
0006406233.tif 000010